(57)【要約】【課題】新種のスリーブ、特に新種のゴムブランケットスリーブを提供する。【解決手段】支持層１２；２０；２７；３７として形成された内層が、半径方向外側に位置する面１６；２４；３２；４２において凸状又は凹状に湾曲しており、かつ、支持層１２；２０；２７；３７に続いている層１３；２１；２９；３９が、半径方向内側に位置する面１７；２５；３３；４３に、支持層１２；２０；２７；３７の前記半径方向外側に位置する面１６；２４；３２；４２の湾曲に対する相補形状を備えた湾曲を有しているようにした。【選択図】図１
2006137188.tif 000002
【特許請求の範囲】
【請求項１】
印刷機のためのスリーブ、特にゴムブランケットスリーブであって、少なくとも２層の構造体が設けられており、該構造体が、支持層（１２；２０；２７；３７）として形成された内層と、カバー層（１３；２１；２８；３８）として形成されていて印刷転写のために働く外層とを備えており、当該スリーブが、円筒形の内面（１４；２２；３０；４０）と円筒形の外面（１５；２３；３１；４１）とを備えた中空円筒形の形状を有している形式のものにおいて、
支持層（１２；２０；２７；３７）として形成された内層が、半径方向外側に位置する面（１６；２４；３２；４２）において凸状又は凹状に湾曲しており、かつ、支持層（（１２；２０；２７；３７）に続いている層（１３；２１；２９；３９）が、半径方向内側に位置する面（１７；２５；３３；４３）に、支持層（１２；２０；２７；３７）の前記半径方向外側に位置する面（１６；２４；３２；４２）の湾曲に対する相補形状を備えた湾曲を有していることを特徴とするスリーブ。
【請求項２】
支持層（１２；２７）として形成された内層が、半径方向外側に位置する面（１６；３２）において凸状に湾曲しており、かつ、支持層（１２；１７）に続いている層（１３；２９）が、半径方向内側に位置する面（１７；３３）において凹状に湾曲している、請求項１記載のスリーブ。
【請求項３】
支持層（２０；３７）として形成された内層が、半径方向外側に位置する面（２４；４２）において凹状に湾曲しており、かつ、支持層（２０；３７）に続いている層（２１；３９）が、半径方向内側に位置する面（２５；４３）において凸状に湾曲している、請求項１記載のスリーブ。
【請求項４】
支持層（１２；２０）に続いている前記層が、印刷転写のために働くカバー層（１３；２１）を形成していて、半径方向外側に位置する面に円筒形の外面を有している、請求項１から３までのいずれか１項記載のスリーブ。
【請求項５】
支持層（２７；３７）に続いている前記層が、支持層とカバー層（２８；３８）との間の中間層（２９；３９）として形成されている、請求項１から３までのいずれか１項記載のスリーブ。
【請求項６】
支持層に続いている前記中間層が、半径方向外側に位置する面に、円筒形の外面を有している、請求項５記載のスリーブ。
【請求項７】
支持層（２７；３７）に続いている前記中間層（２９；３９）が、半径方向外側に位置する面（３４；４４）において凸状又は凸状に湾曲しており、かつ、中間層（２９；３９）に続いている前記層が、半径方向内側に位置する面（３５；４５）に、中間層（２９；３９）の前記半径方向外側に位置する面の湾曲に対する相補形状を備えた湾曲を有している、請求項５記載のスリーブ。
【請求項８】
中間層（２９；３９）に続いている前記層が、印刷転写のために働くカバー層（２８；３８）を形成している、請求項５から７までのいずれか１項記載のスリーブ。
【請求項９】
支持層（１２；２０；２７；３７）が、非圧縮性の層として形成されており、かつ、カバー層（１３；２１；２８；３８）が、圧縮性の層として形成されている、請求項１から８までのいずれか１項記載のスリーブ。
【請求項１０】
支持層（１２；２０；２７；３７）が金属層として形成されており、かつ、カバー層（１３；２１；２８；３８）がゴム層として形成されている、請求項１から９までのいずれか１項記載のスリーブ。
【発明の詳細な説明】
【技術分野】
【０００１】
本発明は、請求項１の上位概念部に記載した形式のスリーブ、特にゴムブランケットスリーブに関する。
【背景技術】
【０００２】
スリーブは、複数の印刷機胴が、胴の周面に一般に存在する緊締通路の中断が無いことに基づき静かにかつ衝撃なしに相互に転動し合うことを助成する。
【０００３】
特許文献１には、全部で４層の構造体を有している、オフセットウェブ輪転印刷機のためのスリーブが開示されている。特許文献１に記載の該スリーブは、支持層として形成された内層と、カバー層として形成されていて印刷転写のために働く外層とを有しており、この場合、支持層とカバー層との間には、別の２つの層が存在する。特許文献１に記載の該スリーブは、円筒形の内面と円筒形の外面とを備えた中空円筒形の形状を有しており、この場合、該スリーブの全ての層が、円筒形の内面と円筒形の外面とを有している。
【０００４】
特許文献２には、円筒形の外面と円錐形の内面とを有している、印刷機のためのスリーブが開示されている。これに応じて、特許文献２に記載の該スリーブは、中空円筒形の形状を有してはいない。
【特許文献１】独国特許出願公開第１９９５０６４３号明細書
【特許文献２】欧州特許第０８１９５５０号明細書
【発明の開示】
【発明が解決しようとする課題】
【０００５】
前記のことから出発して、本発明の課題は、新種のスリーブ、特に新種のゴムブランケットスリーブを提供することである。
【課題を解決するための手段】
【０００６】
前記課題は、請求項１記載のスリーブ、特にゴムブランケットスリーブによって解決される。本発明によれば、支持層として形成された内層が、半径方向外側に位置する面において凸状又は凹状に湾曲しており、この場合、支持層に続いている層が、半径方向内側に位置する面に、支持層の前記半径方向外側に位置する面の湾曲に対する相補形状を備えた湾曲を有している。
【０００７】
本発明の趣旨では、円筒形の内面と円筒形の外面とを備えた全体的に中空円筒形の形状を有している、印刷機のための多層のスリーブが提案される。本発明によれば、支持層の、半径方向内側に位置する面は、円筒形に形成されていて、半径方向外側に位置する面は、凸状又は凹状に湾曲している。支持層に続いている層は、半径方向内側に位置する面に湾曲を有しており、この湾曲は、支持層の前記半径方向外側に位置する面の湾曲に対する相補形状を備えている。本発明によって、中空円筒形のスリーブのための完全に新種の構造体が提案される。この場合、スリーブの、互いに隣接している層同士の、互いに対向して位置する面同士は、互いに補い合う相補形状を備えた湾曲を有している。これにより、最終的に、スリーブの外側輪郭は中空円筒形状から逸脱することはない。このことによって、完全に新種のスリーブ特性が実現可能になる。本発明によるスリーブによって、印刷しかつウェブを案内する外側のカバー層の線荷重分布（Linienkraftverteilung）は、影響され得ない。
【０００８】
本発明の有利な実施態様は、従属請求項及び以下の説明から得られる。本発明の実施例は、当該実施例に限定されないが、図面に基づきより詳しく説明される。
【発明を実施するための最良の形態】
【０００９】
以下に、本発明を図１〜図４に関連付けながら、より詳しく説明する。
【００１０】
図１には、本発明によるスリーブ１０の第１の実施例を長手方向断面図で示してある。この場合、図１におけるスリーブ１０の長手方向中央軸線１１は一点鎖線で示してあり、かつ該スリーブの長手方向中央軸線１１は、当該スリーブが印刷機胴に位置決めされた状態では、当該スリーブ１０の回転軸線に相当する。図１の実施例のスリーブ１０は、支持層１２として形成された内層とカバー層１３として形成された外層とから成る２層の構造体を有しており、この場合、カバー層１３は印刷転写のために働く。スリーブ１０は、円筒形の内面１４と円筒形の外面１５とを備えた中空円筒形の形状を有している。外面１５は印刷転写のために働く。本発明によれば、図１の実施例では、支持層１２の、半径方向外側に位置する面１６は、凸状に湾曲しており、支持層１２に続いているカバー層１３の、半径方向内側に位置する面１７は、前記面１６の前記湾曲に対する相補形状を備えた湾曲を有していて、つまり、凹状に湾曲している。したがって、前記長手方向中央軸線１１に沿って、支持層１２及びカバー層１３の厚さは変化しているが、スリーブ１０全体の厚さは不変に保たれている。
【００１１】
本発明によるスリーブ１８の第２の実施例は、図２に示してある。図２のスリーブ１８も、長手方向中央軸線１９並びに支持層２０及びカバー層２１を有している。したがって、図２のスリーブ１８も、図１のスリーブ１０と同様に２層に形成されていて、円筒形の内面２２と円筒形の外面２３とを備えた中空円筒形の形状を有している。図２の実施例では、支持層２０の、半径方向外側に位置する面２４は、凹状に湾曲しており、カバー層２１の、半径方向内側に位置する面２５は、凸状に湾曲している。したがって、図２の実施例においても、互いに隣接している層２０，２１の、互いに対向して位置する面２４，２５は、互いに補い合う相補形状を備えた湾曲を有している。
【００１２】
図１及び図２の実施例には、２層のスリーブ１０；１８を示してある。図３及び図４には、３層の構造体を有している、本発明によるスリーブを示してある。
【００１３】
例えば、図３には、内層２７、カバー層２８、及び内層２７とカバー層２８との間に位置決めされた中間層２９を備えたスリーブ２６を示してある。このスリーブ２６も、円筒形の内面３０と円筒形の外面３１とを備えた中空円筒形の形状を有しており、この場合、円筒形の外面３１は印刷転写のために働く。図３の実施例では、支持層２７の、半径方向外側に位置する面３２は、凸状に湾曲しており、中間層２９の、前記支持層に隣接していて半径方向内側に位置する面３３は、前記面３２の前記湾曲に対する相補形状を備えた、つまり凹状の湾曲を有している。中間層２９の、半径方向外側に位置する面３４は、凸状に湾曲しており、外側のカバー層２８の、前記中間層に隣接していて半径方向内側に位置する面３５は、凹状に湾曲している。したがって、中間層２９及び外側のカバー層２８の、互いに隣接している面３４，３５も、互いに補い合う相補形状を備えた湾曲を有している。図３の実施例との関連では、本発明の趣旨では、中間層２９の前記半径方向外側に位置する面３４と、カバー層２８の前記半径方向内側に位置する面３５とは、円筒形に輪郭付与されていてもよいことを指摘しておく。さらに、中間層２９の前記半径方向外側に位置する面３４を、凹状に湾曲させること、及びカバー層２８の前記半径方向内側に位置する面３５を、凸状に湾曲させることが可能である。
【００１４】
本発明によるスリーブ３６の、別の実施例は、図４に示してある。図４の３層のスリーブ３６も、内層３７、カバー層３８、及び内層３７とカバー層３８との間に位置決めされた中間層３９を有している。図４のスリーブ３６も、円筒形の内面４０と円筒形の外面４１とを備えた全体的に中空円筒形の形状を有している。内層３４の、半径方向外側に位置する面４２は、凹状に湾曲しており、中間層３９の、半径方向内側に位置する面４３は、凸状に湾曲している。これにより、互いに隣接している内層３７及び中間層３９の、互いに対向して位置する面４２，４３は、互いに補い合う相補形状を備えた湾曲を有している。中間層３９の、半径方向外側に位置する面４４は、凸状に湾曲しており、カバー層３８の、半径方向内側に位置する面４５は、凹状に湾曲している。これにより、互いに隣接している前記面４４，４５も、互いに補い合う相補形状を備えた湾曲を有している。
【００１５】
本発明の趣旨では、スリーブの層の個数と、互いに隣接していて相補形状を備えるように湾曲した面の、具体的な曲率とは、当然のことながら変化させられ得る。全ての実施例に共通する点は、支持層１２，２０，２７，３７の、半径方向外側に位置する面１６，２４，３２，４２が、凹状又は凸状に湾曲していること、及び支持層に隣接している層１３，２１，２９，３９の、隣接している面１７，２５，３３，４３が、支持層の前記湾曲に対する相補形状を備えるように湾曲していることにある。スリーブ１０，１８，２６，３６は、円筒形の内面と円筒形の外面とを備えた中空円筒形の形状を有している。
【００１６】
図示の実施例では、本発明によるスリーブの支持層１２，２０，２７，３７は、有利には、非圧縮性でかつ金属製に形成されている。印刷転写のために働くカバー層１３，２１，２８、３８は、圧縮性に構成されていて、有利にはゴム層として形成されている。
【図面の簡単な説明】
【００１７】
【図１】本発明の第１の実施例による本発明によるスリーブを示す断面図である。
【図２】本発明の第２の実施例による本発明によるスリーブを示す断面図である。
【図３】本発明の第３の実施例による本発明によるスリーブを示す断面図である。
【図４】本発明の第４の実施例による本発明によるスリーブを示す断面図である。
【符号の説明】
【００１８】
１０  スリーブ
１１  長手方向中央軸線
１２  支持層
１３  カバー層
１４  内面
１５  外面
１６  半径方向外側に位置する面
１７  半径方向内側に位置する面
１８  スリーブ
１９  長手方向中央軸線
２０  支持層
２１  カバー層
２２  内面
２３  外面
２４  半径方向外側に位置する面
２５  半径方向内側に位置する面
２６  スリーブ
２７  支持層
２８  カバー層
２９  中間層
３０  内面
３１  外面
３２  半径方向外側に位置する面
３３  半径方向内側に位置する面
３４  半径方向外側に位置する面
３５  半径方向内側に位置する面
３６  スリーブ
３７  支持層
３８  カバー層
３９  中間層
４０  内面
４１  外面
４２  半径方向外側に位置する面
４３  半径方向内側に位置する面
４４  半径方向外側に位置する面
４５  半径方向内側に位置する面
【図１】
2006137188.tif 000003
【図２】
2006137188.tif 000004
【図３】
2006137188.tif 000005
【図４】
2006137188.tif 000006